【手続補正書】
【提出日】平成18年7月27日(2006.7.27)
【手続補正１】
【補正対象書類名】明細書
【補正対象項目名】発明の名称
【補正方法】変更
【補正の内容】
【発明の名称】通信方法及び通信装置
【手続補正２】
【補正対象書類名】明細書
【補正対象項目名】特許請求の範囲
【補正方法】変更
【補正の内容】
【特許請求の範囲】
【請求項１】
少なくとも１つの通信局が制御信号を供給する基地局モードで機能し、制御信号を供給しない通信局が移動局モードで機能する通信方法であって、第１の基地局と接続して移動局モードで機能している２つの通信局間の通信のために、
移動局モードで機能しており、基地局モードで機能可能な第２の通信局を決定し、
基地局モードに切替わって２つの通信局間の通信を引き継ぐことを要求するメッセージを、前記第２の通信局に送信することを特徴とする通信方法。
【請求項２】
前記２つの通信局間の通信に必要な帯域幅が所定値より大きいとき、前記決定ステップを実行することを特徴とする請求項１に記載の通信方法。
【請求項３】
さらに、移動局モードで機能している通信局から能力を表わす情報を受信することを特徴とする請求項１または２のいずれか一項に記載の通信方法。
【請求項４】
少なくとも１つの通信局が制御信号を供給する基地局モードで機能し、制御信号を供給しない通信局が移動局モードで機能する通信方法であって、第１の基地局と接続して移動局モードで機能している２つの通信局間の通信のために、移動局モードで機能している通信局は、
基地局モードへの切替えを要求するメッセージを受信し、
基地局モードで機能することに同意するか否か決定し、
基地局モードで機能することに同意するか否かを表わすメッセージを第１の基地局に送信し、
基地局モードで機能することに同意した場合、基地局モードに切替わることを特徴とする通信方法。
【請求項５】
基地局モードに切替わった後、通信が終了したときに、移動局モードに戻ることを特徴とする請求項４に記載の通信方法。
【請求項６】
少なくとも１つの通信局が制御信号を供給する基地局モードで機能し、制御信号を供給しない通信局が移動局モードで機能する通信方法のための通信装置であって、第１の基地局と接続して移動局モードで機能している２つの通信局間の通信のために、前記通信装置は、
移動局モードで機能しており、基地局モードで機能可能な第２の通信局を決定する決定手段と、
基地局モードに切替わって２つの通信局間の通信を引き継ぐことを要求するメッセージを、前記第２の通信局に送信する送信手段を有することを特徴とする通信装置。
【請求項７】
前記決定手段は、前記２つの通信局間の通信に必要な帯域幅が所定値より大きいとき、前記決定を実行することを特徴とする請求項６に記載の通信装置。
【請求項８】
さらに、移動局モードで機能している通信局から能力を表わす情報を受信する受信手段を有することを特徴とする請求項６または７のいずれか一項に記載の通信装置。
【請求項９】
少なくとも１つの通信局が制御信号を供給する基地局モードで機能し、制御信号を供給しない通信局が移動局モードで機能する通信方法のための通信装置であって、第１の基地局と接続して移動局モードで機能している２つの通信局間の通信のために、移動局モードで機能している通信局は、
基地局モードへの切替えを要求するメッセージを受信する受信手段と、
基地局モードで機能することに同意するか否か決定する決定手段と、
基地局モードで機能することに同意するか否かを表わすメッセージを第１の基地局に送信する送信手段と、
基地局モードで機能することに同意した場合、基地局モードに切替わる手段を有することを特徴とする通信装置。
【請求項１０】
基地局モードに切替わった後、通信が終了したときに、移動局モードに戻る手段をさらに有することを特徴とする請求項９に記載の通信装置。
【請求項１１】
基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと移動局に関連する情報を含むテーブルを受信すると、第１の通信局を基地局モードに変更することを特徴とする方法。
【請求項１２】
基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと動作モードを変更できる移動局のリストを受信すると、第１の通信局を基地局モードに変更することを特徴とする方法。
【請求項１３】
基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと、基地局なしに、互いに直接通信できる移動局のリストを受信すると、第１の通信局を基地局モードに変更することを特徴とする方法。
【請求項１４】
基地局モードで機能している通信局を変更する装置であって、
第１の通信局から、基地局モードで機能している第２の通信局に、基地局の変更を要求する要求手段と、
第１の通信局が第２の通信局から基地局の変更の合意を表わすメッセージと移動局に関連する情報を含むテーブルを受信すると、第１の通信局を基地局モードに変更する変更手段を有することを特徴とする装置。
【請求項１５】
基地局モードで機能している通信局を変更する装置であって、
第１の通信局から、基地局モードで機能している第２の通信局に、基地局の変更を要求する要求手段と、
第１の通信局が第２の通信局から基地局の変更の合意を表わすメッセージと動作モードを変更できる移動局のリストを受信すると、第１の通信局を基地局モードに変更する変更手段を有することを特徴とする装置。
【請求項１６】
基地局モードで機能している通信局を変更する装置であって、
第１の通信局から、基地局モードで機能している第２の通信局に、基地局の変更を要求する要求手段と、
第１の通信局が第２の通信局から基地局の変更の合意を表わすメッセージと、基地局なしに、互いに直接通信できる移動局のリストを受信すると、第１の通信局を基地局モードに変更する変更手段を有することを特徴とする装置。
【請求項１７】
基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと移動局に関連する情報を含むテーブルを送信することを特徴とする方法。
【請求項１８】
基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと動作モードを変更できる移動局のリストを送信することを特徴とする方法。
【請求項１９】
基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと、基地局なしに、互いに直接通信できる移動局のリストを送信することを特徴とする方法。
【請求項２０】
基地局モードで機能している通信局を変更する装置であって、
基地局モードで機能している第２の通信局が第１の通信局から基地局を変更する要求を受信する受信手段と、
第２の通信局が前記要求を受け入れる場合、第２の通信局から第１の通信局に、基地局の変更を受け入れることを表わすメッセージと移動局に関連する情報を含むテーブルを送信する送信手段を有することを特徴とする装置。
【請求項２１】
基地局モードで機能している通信局を変更する装置であって、
基地局モードで機能している第２の通信局が第１の通信局から基地局を変更する要求を受信する受信手段と、
第２の通信局が前記要求を受け入れる場合、第２の通信局から第１の通信局に、基地局の変更を受け入れることを表わすメッセージと動作モードを変更できる移動局のリストを送信する送信手段を有することを特徴とする装置。
【請求項２２】
基地局モードで機能している通信局を変更する装置であって、
基地局モードで機能している第２の通信局が第１の通信局から基地局を変更する要求を受信する受信手段と、
第２の通信局が前記要求を受け入れる場合、第２の通信局から第１の通信局に、基地局の変更を受け入れることを表わすメッセージと、基地局なしに、互いに直接通信できる移動局のリストを送信する送信手段を有することを特徴とする装置。
【手続補正３】
【補正対象書類名】明細書
【補正対象項目名】０００９
【補正方法】変更
【補正の内容】
【０００９】
【課題を解決するための手段】
このため、第１の態様によれば、本発明は、少なくとも１つの通信局が制御信号を供給する基地局モードで機能し、制御信号を供給しない通信局が移動局モードで機能する通信方法であって、第１の基地局と接続して移動局モードで機能している２つの通信局間の通信のために、移動局モードで機能しており、基地局モードで機能可能な第２の通信局を決定し、基地局モードに切替わって２つの通信局間の通信を引き継ぐことを要求するメッセージを、前記第２の通信局に送信することを特徴とする通信方法に関する。
【手続補正４】
【補正対象書類名】明細書
【補正対象項目名】００１１
【補正方法】変更
【補正の内容】
【００１１】
第２の態様によれば、本発明は、少なくとも１つの通信局が制御信号を供給する基地局モードで機能し、制御信号を供給しない通信局が移動局モードで機能する通信方法であって、第１の基地局と接続して移動局モードで機能している２つの通信局間の通信のために、移動局モードで機能している通信局は、
基地局モードへの切替えを要求するメッセージを受信し、
基地局モードで機能することに同意するか否か決定し、
基地局モードで機能することに同意するか否かを表わすメッセージを第１の基地局に送信し、
基地局モードで機能することに同意した場合、基地局モードに切替わることを特徴とする通信方法に関する。
【手続補正５】
【補正対象書類名】明細書
【補正対象項目名】００１２
【補正方法】変更
【補正の内容】
【００１２】
第３の態様によれば、本発明は、基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと移動局に関連する情報を含むテーブルを受信すると、第１の通信局を基地局モードに変更することを特徴とする方法に関する。
【手続補正６】
【補正対象書類名】明細書
【補正対象項目名】００１３
【補正方法】変更
【補正の内容】
【００１３】
第４の態様によれば、本発明は、基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと動作モードを変更できる移動局のリストを受信すると、第１の通信局を基地局モードに変更することを特徴とする方法に関する。
【手続補正７】
【補正対象書類名】明細書
【補正対象項目名】００１４
【補正方法】変更
【補正の内容】
【００１４】
第５の態様によれば、本発明は、基地局モードで機能している通信局を変更する方法であって、
第１の通信局から、基地局モードで機能している第２の通信局に、基地局の変更を要求し、
第１の通信局が第２の通信局から基地局の変更の合意を表わすメッセージと、基地局なしに、互いに直接通信できる移動局のリストを受信すると、第１の通信局を基地局モードに変更することを特徴とする方法に関する。
【手続補正８】
【補正対象書類名】明細書
【補正対象項目名】００１５
【補正方法】変更
【補正の内容】
【００１５】
第６の態様によれば、本発明は、基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと移動局に関連する情報を含むテーブルを送信することを特徴とする方法に関する。
【手続補正９】
【補正対象書類名】明細書
【補正対象項目名】００１６
【補正方法】変更
【補正の内容】
【００１６】
第７の態様によれば、本発明は、基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと動作モードを変更できる移動局のリストを送信することを特徴とする方法に関する。
【手続補正１０】
【補正対象書類名】明細書
【補正対象項目名】００１７
【補正方法】変更
【補正の内容】
【００１７】
第８の態様によれば、本発明は、基地局モードで機能している通信局を変更する方法であって、
基地局モードで機能している第２の通信局が第１の通信局から基地局を変更する要求を受信し、
第２の通信局が前記要求を受け入れる場合、第２の通信局から第１の通信局に、基地局の変更を受け入れることを表わすメッセージと、基地局なしに、互いに直接通信できる移動局のリストを送信することを特徴とする方法に関する。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】削除
【補正の内容】
【手続補正６６】
【補正対象書類名】明細書
【補正対象項目名】００７３
【補正方法】削除
【補正の内容】
【手続補正６７】
【補正対象書類名】明細書
【補正対象項目名】００７４
【補正方法】削除
【補正の内容】
【手続補正６８】
【補正対象書類名】明細書
【補正対象項目名】００７５
【補正方法】削除
【補正の内容】
【手続補正６９】
【補正対象書類名】明細書
【補正対象項目名】００７６
【補正方法】削除
【補正の内容】
【手続補正７０】
【補正対象書類名】明細書
【補正対象項目名】００７７
【補正方法】削除
【補正の内容】
【手続補正７１】
【補正対象書類名】明細書
【補正対象項目名】００７８
【補正方法】削除
【補正の内容】
【手続補正７２】
【補正対象書類名】明細書
【補正対象項目名】００７９
【補正方法】削除
【補正の内容】
【手続補正７３】
【補正対象書類名】明細書
【補正対象項目名】００８０
【補正方法】削除
【補正の内容】
【手続補正７４】
【補正対象書類名】明細書
【補正対象項目名】００８１
【補正方法】削除
【補正の内容】
【手続補正７５】
【補正対象書類名】明細書
【補正対象項目名】００８２
【補正方法】削除
【補正の内容】
【手続補正７６】
【補正対象書類名】明細書
【補正対象項目名】００８３
【補正方法】削除
【補正の内容】
【手続補正７７】
【補正対象書類名】明細書
【補正対象項目名】００８４
【補正方法】削除
【補正の内容】
【手続補正７８】
【補正対象書類名】明細書
【補正対象項目名】００８５
【補正方法】削除
【補正の内容】
【手続補正７９】
【補正対象書類名】明細書
【補正対象項目名】００８６
【補正方法】削除
【補正の内容】
【手続補正８０】
【補正対象書類名】明細書
【補正対象項目名】００８７
【補正方法】削除
【補正の内容】
【手続補正８１】
【補正対象書類名】明細書
【補正対象項目名】００８８
【補正方法】削除
【補正の内容】
【手続補正８２】
【補正対象書類名】明細書
【補正対象項目名】００８９
【補正方法】削除
【補正の内容】
【手続補正８３】
【補正対象書類名】明細書
【補正対象項目名】００９０
【補正方法】削除
【補正の内容】
【手続補正８４】
【補正対象書類名】明細書
【補正対象項目名】００９１
【補正方法】削除
【補正の内容】
【手続補正８５】
【補正対象書類名】明細書
【補正対象項目名】００９２
【補正方法】削除
【補正の内容】
【手続補正８６】
【補正対象書類名】明細書
【補正対象項目名】００９３
【補正方法】削除
【補正の内容】
【手続補正８７】
【補正対象書類名】明細書
【補正対象項目名】００９４
【補正方法】削除
【補正の内容】
【手続補正８８】
【補正対象書類名】明細書
【補正対象項目名】００９５
【補正方法】削除
【補正の内容】